【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
ディスク装置とディスク制御装置とからなるディスクサブシステム間の非同期コピー方法において、
前記ディスクサブシステムの構成が、
ホストに接続された正ディスク制御装置と、それによって制御される正ディスク装置と、
前記正ディスク制御装置と伝送路で接続された副ディスク制御装置と、それによって制御される副ディスク装置であって、
前記ホストの前記正ディスク制御装置へのＩＯ要求とは非同期に、一定時間の経過により、または、処理能力に余裕のあるときに、前記正ディスク装置のデータを、前記副ディスク装置へコピーをおこなう方法であり、
前記正ディスク装置から構成される論理ボリュームグループにコピーの優先度を付け、優先度の高い論理ボリュームグループのデータのコピーを優先度の低い論理ボリュームグループに属するデータのコピーよりも優先させておこなうディスクサブシステム間の非同期コピー方法。
【請求項２】
コピー量の和と前記伝送路の容量を比較して、前記コピー量の和が前記伝送路の容量より大きい場合に、優先度の高い論理ボリュームグループを先行してコピーすることを特徴とする請求項１記載のディスクサブシステム間の非同期コピー方法。
【請求項３】
前記正ディスク制御装置内のプロセッサの稼働率、および、前記伝送路に接続されたチャネルポートの稼働率が、既定値より大きい場合に、優先度の高い論理ボリュームグループを先行してコピーすることを特徴とする請求項１記載のディスクサブシステム間の非同期コピー方法。
【請求項４】
前記伝送路の輻輳、または、障害により、前記伝送路の伝送能力が下がったときに、優先度の高い論理ボリュームグループを先行してコピーすることを特徴とする請求項１記載のディスクサブシステム間の非同期コピー方法。
【請求項５】
論理ボリュームグループのコピー状態が停止状態にあるときから、コピーを再開する際に、優先度の高い論理ボリュームグループから回復して、コピーを再開することを特徴とする請求項１記載のディスクサブシステム間の非同期コピー方法。
【請求項６】
前記正ディスク制御装置は、この非同期コピーのためのコピーデータとスケジュール情報とを格納するためのキャッシュメモリを有し、
このキャッシュメモリのエリアの空き容量が足りなくなるために論理ボリュームグループのコピー状態を停止状態にするときに、優先度の低い論理ボリュームグループを先に停止することを特徴とする請求項１記載のディスクサブシステム間の非同期コピー方法。
【請求項７】
ディスク装置とディスク制御装置とからなるディスクサブシステムにおいて、
このディスクサブシステムの構成が、
ホストに接続された正ディスク制御装置と、それによって制御される正ディスク装置と、
前記正ディスク制御装置と伝送路で接続された副ディスク制御装置と、それによって制御される副ディスク装置であって、
さらに、このディスクサブシステムは、
前記ホストの前記正ディスク制御装置へのＩＯ要求とは非同期に、一定時間の経過により、または、処理能力に余裕のあるときに、前記正ディスク装置のデータを、前記副ディスク装置へコピーをおこなう手段と、
前記正ディスク装置から構成される論理ボリュームグループにコピーの優先度を付け、優先度の高い論理ボリュームグループのデータのコピーを優先度の低い論理ボリュームグループに属するデータのコピーよりも優先させておこなう手段とを有することを特徴とするディスクサブシステム。
【請求項８】
さらに、コピー量の和と前記伝送路の容量を比較して、前記コピー量の和が前記伝送路の容量より大きい場合に、優先度の高い論理ボリュームグループを先行してコピーする手段を有することを特徴とする請求項７記載のディスクサブシステム。
【請求項９】
さらに、前記正ディスク制御装置内のプロセッサの稼働率、および、前記伝送路に接続されたチャネルポートの稼働率が、既定値より大きい場合に、優先度の高い論理ボリュームグループを先行してコピーする手段を有することを特徴とする請求項７記載のディスクサブシステム。
【請求項１０】
さらに、前記伝送路の輻輳、または、障害により、前記伝送路の伝送能力が下がったときに、優先度の高い論理ボリュームグループを先行してコピーする手段を有することを特徴とする請求項７記載のディスクサブシステム。
【請求項１１】
さらに、論理ボリュームグループのコピー状態が停止状態にあるときから、コピーを再開する際に、優先度の高い論理ボリュームグループから回復して、コピーを再開する手段を有することを特徴とする請求項７記載のディスクサブシステム。
【請求項１２】
さらに、前記正ディスク制御装置は、この非同期コピーのためのコピーデータとスケジュール情報とを格納するためのキャッシュメモリを有し、
このキャッシュメモリのエリアの空き容量が足りなくなるために論理ボリュームグループのコピー状態を停止状態にするときに、優先度の低い論理ボリュームグループを先に停止する手段を有することを特徴とする請求項７記載のディスクサブシステム。
【請求項１３】
ディスク装置とディスク制御装置とからなるディスクサブシステム間の非同期コピー方法において、
前記ディスクサブシステムの構成が、
ホストにチャネルポートを介して接続された正ディスク制御装置と、それによって制御される正ディスク装置と、
前記正ディスク制御装置とチャネルポートを介して伝送路により接続された副ディスク制御装置と、それによって制御される副ディスク装置であって、
前記正ディスク制御装置は、コピー処理とスケジュール処理とをおこなうマイクロプロセッサと、ローカルメモリと、キャッシュメモリとからなり、
前記マイクロプロセッサは、前記ホストの前記正ディスク制御装置へのＩＯ要求とは非同期に、一定時間の経過により、または、処理能力に余裕のあるときに、前記正ディスク装置のデータを、前記副ディスク装置へコピーをおこなうように制御し、
前記正ディスク制御装置の前記ローカルメモリには、優先コピー判定情報が保持され、
前記優先コピー判定情報は、
コピー動作状況と、論理ボリュームグループごとに定義された優先度と、論理ボリュームグループごとに定義されたコピー条件と、コピー状況情報とを含み、
前記コピー動作状況は、前記正ディスク制御装置のマイクロプロセッサの稼働率を表すプロセッサ稼働率と、データコピーに使われるポートのポート使用率と、データコピーのための伝送路の伝送容量と、データコピーの平均伝送量とを含み、
前記優先コピー判定情報の前記コピー動作状況により、優先度に基づくコピーをおこなうか否かを判定するステップと、
前記優先度に基づくコピーをおこなうと判定されたときには、前記論理ボリュームグループごとに定義されたコピー条件と前記コピー状況情報とに基づき論理ボリュームグループのコピーをおこなうか否かを判定するステップとを含み、
前記論理ボリュームグループごとに定義された優先度が高い論理ボリュームグループのデータを優先度の低いデータのコピーより優先しておこなうことを特徴とするディスクサブシステム間の非同期コピー方法。
【請求項１４】
ディスク装置とディスク制御装置とからなるディスクサブシステムにおいて、
このディスクサブシステムの構成が、
ホストにチャネルポートを介して接続された正ディスク制御装置と、それによって制御される正ディスク装置と、
前記正ディスク制御装置とチャネルポートを介して伝送路により接続された副ディスク制御装置と、それによって制御される副ディスク装置であって、
前記正ディスク制御装置は、コピー処理とスケジュール処理とをおこなうマイクロプロセッサと、ローカルメモリと、キャッシュメモリとからなり、
前記マイクロプロセッサは、前記ホストの前記正ディスク制御装置へのＩＯ要求とは非同期に、一定時間の経過により、または、処理能力に余裕のあるときに、前記正ディスク装置のデータを、前記副ディスク装置へコピーをおこなうように制御し、
前記正ディスク制御装置の前記ローカルメモリには、優先コピー判定情報が保持され、
前記優先コピー判定情報は、
コピー動作状況と、論理ボリュームグループ優先度と、コピー状況情報とを含み、
前記マイクロプロセッサは、前記優先コピー判定情報の前記コピー動作状況により、優先度に基づくコピーをおこなうか否かを判定し、
前記優先度に基づくコピーをおこなうときには、前記優先コピー判定情報の前記論理ボリュームグループ優先度に定義された優先度の高い論理ボリュームグループのデータを優先度の低いデータのコピーより優先しておこなうことを特徴とするディスクサブシステム。
【手続補正２】
【補正対象書類名】明細書
【補正対象項目名】００２４
【補正方法】変更
【補正の内容】
【００２４】
副ディスク制御装置１１６のマイクロプロセッサ１１８は、データ受領処理１１９、データ順序制御処理１２０を実行することができる。これらの処理手段についても、マイクロプロセッサ１１８によって実現される機能ブロックとして表現している。これらの処理についても、その動作については後述する。